(57)【要約】【課題】  簡易な構造で安定に前立腺マッサージ具を保持しつつ、袴部を備えることなく前立腺への刺激や会陰への刺激を十分に与えることができる前立腺マッサージ具を提供する。【解決手段】  会陰１０４にその両側から刺激を与え、その両側を挟めるように断面が略Ｍ字形状となる会陰刺激部３０を脚部２０の先端から引き出し可能に備えると共に頭部１０の脚部２０への取り付け位置において倒立可動とすることにより、直腸１０１内に挿入された頭部１０の挿入方向を変化させ、会陰刺激部３０と頭部１０の前立腺刺激位置間の距離を変化可能にする。【選択図】図１
2010162269.tif 000002
【特許請求の範囲】
【請求項１】
丸みを帯びた頭頂部と頭頂部から下端に向かって先細りのテーパ面を有する基部を有し、前記頭頂部から直腸内に挿入される頭部と、略Ｃ字形状乃至略Ｕ字形状をした脚部と、断面略Ｍ字形状をした会陰刺激部を有する前立腺マッサージ具であって、
前記頭部の下部が前記脚部の一方端部の先端に備えられた回動支持部によって、倒立可動に前記脚部に備えられ、
前記会陰刺激部が、前記脚部の他端先端から前方に引き出し可能に備えられたことを特徴とする前立腺マッサージ具。
【請求項２】
前記頭部は、背面側に凸となる曲線部と、頭頂部から頭部長の約１／４〜１／３程度下方近傍において頭部前面が背面側に窪んだ絞り部を備え、頭部がほぼ直立した状態で頭頂部の中心線が脚部底面に対する垂直線よりも前方に傾斜したことを特徴とする請求項１に記載の前立腺マッサージ具。
【発明の詳細な説明】
【技術分野】
【０００１】
本発明は、前立腺マッサージ具、具体的には直腸内に挿入される頭部によって前立腺を刺激する前立腺マッサージ具に関する。
【背景技術】
【０００２】
直腸内に挿入することにより前立腺を刺激する前立腺マッサージ具が、例えば特開２０００−２３３０２８号公報（特許文献１）や特開２００２−１６５８５７号公報（特許文献２）、特表２００４−５０９７１３号公報（特許文献３）、米国特許第５７９７９５０号公報（特許文献４）、米国特許第５８６１０００号公報（特許文献５）、米国特許第６５８９１９３号公報（特許文献６）などに開示されている。
【０００３】
これらの公報に記載した前立腺マッサージ具は、それぞれ肛門から直腸内に挿入される概ね楕円体状をした頭部を有している。この頭部の下部は先細りになったテーパ面を有する基部となっており、この基部が肛門括約筋の収縮弛緩によって頭部が前立腺方向へと押し上げられる。その結果、当該頭部の頭頂部ないしその側面が前立腺を直腸内から押圧して、前立腺を刺激する。
【０００４】
このような前立腺マッサージ具において、特許文献１や特許文献４、特許文献５、特許文献６には、楕円体状をした頭部の下部にＣ字形状乃至Ｌ字形状をした脚部が備えられた前立腺マッサージ具が開示されている。この脚部の先端は会陰に当たる突起を有しており、肛門内に挿入された状態で突起が会陰に当たり、会陰にも同時に刺激を加えることができる。
【０００５】
そして、特許文献１や特許文献６には、頭部の下部に続いて末広がりのテーパ面を有する袴部を備え、当該袴部の下部に前記脚部を備えた前立腺マッサージ具が開示されている。肛門括約筋が収縮するとこの袴部は下方へ移動する力を受けるので、頭部基部のテーパ勾配と袴部のテーパ勾配に差を設けることにより、直腸内における頭部の移動距離と、突起が会陰に与える圧力を調整することができる。
【０００６】
さらに、特許文献５には、頭部の下部に袴部を備えないが、直腸内における移動距離と突起が会陰に与える圧力を調整することを可能にすべく、頭部の下部に備えた軸棒状の支持部材と脚部を下方に延伸した軸棒状の支持部材を鋏状に交差させると共に両支持部材の交差角度を調整する調整機構を備えた前立腺マッサージ具が開示されている。
【先行技術文献】
【特許文献】
【０００７】
【特許文献１】特開２０００−２３３０２８号公報
【特許文献２】特開２００２−１６５８５７号公報
【特許文献３】特表２００４−５０９７１３号公報
【特許文献４】米国特許第５７９７９５０号公報
【特許文献５】米国特許第５８６１０００号公報
【特許文献６】米国特許第６５８９１９３号公報
【発明の概要】
【発明が解決しようとする課題】
【０００８】
しかしながら、会陰と肛門間の距離や前立腺の位置は使用者によって異なる。前立腺マッサージ具の脚部の長さが使用者において適切でなければ、十分なマッサージ効果を得ることができない。従って、頭部の下部に袴部を設けることにより、直腸内における頭部の移動距離と、突起が会陰に与える圧力を調整することができたとしても、必ずしも万全なものでなかった。
【０００９】
また、特許文献５に開示された脚部を有する前立腺マッサージ具では、袴部に備えられた支持部と脚部に備えられた支持部の交差角度を調整できるので、より適切なマッサージ効果を得ることができる。しかしながら、脚部の下方に両支持部が存在することになるので、前立腺マッサージ具が大きなものとなる。また、両支持部材の交差角度を調整する調整機構が必要となるので、前立腺マッサージ具の機構が複雑なものとなり、使い勝手の悪いものとなる。
【００１０】
そして、脚部先端にある突起の先端が会陰にあたり、肛門括約筋が頭部の基部を保持する構造の前立腺マッサージ具は２点、つまり突起の先端と頭部の基部において支持されるだけであり、前立腺マッサージ具は不安定な状態で保持され、マッサージ効果が十分でないこともあった。また、突起の先端が会陰を刺激する構造であるので、会陰への刺激も不十分な場合もあった。
【００１１】
本発明は上記背景技術の問題点に鑑みてなされたものであって、簡易な構造で安定に前立腺マッサージ具を保持しつつ、袴部を備えることなく前立腺への刺激や会陰への刺激を十分に与えることができる前立腺マッサージ具を提供することを目的とする。
【課題を解決するための手段】
【００１２】
そこで、本発明においては、頭部を脚部への取り付け位置において倒立可能にすることにより、直腸内に挿入された頭部の挿入方向を変化させ、また、脚部の先端から前方に会陰刺激部を引き出し可能に備えることにより、会陰刺激部と頭部の前立腺刺激位置間の距離を変化可能にしている。
【００１３】
また、会陰の両側を挟むように支持し、会陰の両側から刺激できるように、その断面が略Ｍ字形状となるように会陰刺激部を構成している。
【発明の効果】
【００１４】
本発明によると、会陰刺激部の位置を調整して会陰刺激部と頭部の基部の距離を使用者に適した長さに合わせることができる。また、頭部は倒立可動に備えられているので、頭部が直腸内に侵入するにつれて頭部の位置が変化し、使用者の前立腺の位置や会陰と肛門間の距離如何によらずに、頭部の頭頂部やその近傍が前立腺を良好に刺激する。そして、会陰刺激部の断面は略Ｍ字形状となっているので、会陰を挟むように会陰刺激部を位置させることができる。この結果、会陰の両側を挟むように支持する会陰刺激部の２カ所と肛門括約筋が締め付けるテーパ状になった頭部基部の１カ所の計３点でマッサージ具が保持され、これまでの前立腺マッサージ具に比べて安定な保持が期待される。
【図面の簡単な説明】
【００１５】
【図１】図１は本発明の一実施形態である前立腺マッサージ具の斜視図である。
【図２】図２は図１の前立腺マッサージ具の会陰刺激部を示す部分斜視図である。
【図３】図３は図１の前立腺マッサージ具の頭部を外した状態を示す分解斜視図である。
【図４】図４は図１の前立腺マッサージ具の断面図である。
【図５】図５は図１の前立腺マッサージ具の頭部の倒立状態を示す説明図である。
【図６】図６は図１の前立腺マッサージ具の会陰刺激部を引き出した状態を示す側面図である。
【図７】図７は図１の前立腺マッサージ具の脚部の一部を破断した断面図である。
【図８】図８は図６に示すＡＡ線断面図である。
【図９】図９は図１の前立腺マッサージ具の会陰刺激部が会陰を刺激する状態を示す説明図である。
【図１０】図１０は図１の前立腺マッサージ具の使用状態を示す説明図であって、（ａ）は頭部が挿入された初期の段階を示す図、（ｂ）は肛門括約筋の収縮により頭部が直腸内上方に挿入される段階を示す図、（ｃ）は頭部が直腸内に挿入され、頭頂部が前立腺を刺激する状態を示す図である。
【図１１】図１１は本発明の別な実施形態である前立腺マッサージ具の頭部形状を示す正面図である。
【発明を実施するための形態】
【００１６】
本発明の前立腺マッサージ具は、直腸内に挿入される頭部と、略Ｃ字形状乃至略Ｕ字形状をした脚部と、断面略Ｍ字形状をした会陰刺激部を有し、頭部の下部が前記脚部の一方端部の先端に備えられた回動支持部によって倒立可動に前記脚部に備えられ、前記会陰刺激部が前記脚部の他端先端から前方に引き出し可能に備えられている。以下、添付した図面を参照しながら本発明について詳細に説明する。
【実施例１】
【００１７】
図１は本発明の一実施形態である前立腺マッサージ具１の斜視図、図２は当該前立腺マッサージ具１の会陰刺激部３０を示す部分斜視図、図３は当該前立腺マッサージ具１の頭部１０を外した状態を示す分解斜視図、図４は前立腺マッサージ具１の断面図である。
【００１８】
本発明の前立腺マッサージ具１は、直腸１０１内に挿入される頭部１０と、頭部１０を倒立可動に保持する脚部２０と、脚部２０の先端に備えられ会陰１０４を刺激する会陰刺激部３０を有する。これらの各部品は、人体に安全で十分な刺激を与えることのできる材料、例えばプラスチック材料や硬質のゴム材料などから作製される。
【００１９】
頭部１０は丸みを帯びた頭頂部１１と頭頂部１１から下端に向かって先細りのテーパ面１２を有する基部１３を有し、直腸１０１内に挿入されることによりその頭頂部１１が直腸１０１内から前立腺１０２を刺激する。図１に示す頭部１０は、その頭頂部１１が前方に、つまり、会陰刺激部３０が位置する方向に傾斜するよう作製されている。具体的に説明すると、頭部１０はその背面側に凸となった曲線部１４を備え、頭部１０が直立した状態では頭頂部１１の中心線（図４の線イで示される。）が、脚部２０底面に対する垂直線（図４の線ロで示される。）よりも前方に傾斜する。また、頭頂部１１から頭長の約１／４〜１／３程度下方には、頭部１０の前面側が窪んだ絞り部１５が形成されている。テーパ面１２は、頭部１０の前方側ではこの絞り部１５の下端より下方に向けて、また、頭部１０の背面側では、頭頂部１１から頭長（頭部１０の高さ）の約２／３程度下がったところから下方に向けて形成され、頭部１０の基部１３を構成している。そして、この基部１３は頭部１０が直立した状態で、頭部１０の前方側、背面側、左右の側面側にほぼ均等、具体的にはテーパ面１２のほぼ断面中心を通過する線（図４の線ハで示され、図中線ロと重なって描かれている）がほぼ鉛直になるように形成されている。頭部１０の基部１３より下方に位置する回動支持部１６は脚部２０への取り付け部となっている。
【００２０】
頭部１０は脚部２０の上方端部に倒立可動に取り付けられている。頭部１０の回動支持部１６は図３に示すように、頭部１０の下方基端から上方に向けて基端中央が切り欠かれた二股部１７を有する。この二股部１７が、脚部２０の上方端部に形成された平板状となった取付部２３を挟むように脚部２０に取り付けられる。脚部２０の取付部２３が頭部１０の回動支持部１６の二股部１７に嵌められた後、取付部２３のピン挿入孔２３ａ及び二股部１７のピン挿入孔１７ａに一本の固定ピン１８が挿入される。この結果、頭部１０は固定ピン１８を回動中心として倒立可動になっている。また、二股部１７の切り欠きが可動範囲を制限し、二股部１７の切り欠きは、頭部１０がほぼ直立した位置から頭部１０が前方に畳まれた状態となる範囲で可動できるように形成されている。前方に畳まれた際の角度は特に制約されるものではない。脚部２０の形状、特に頭頂部１１の傾き（頭頂部１１の中心線イと脚部２０底面に対する垂直線ロのなす角度）によっても影響されるが、好ましくは、畳まれた際に脚部２０の上部に位置する脚部上部２１の中心線（図４の線ニで示される。）と頭部１０の中心線（線ロ）がほぼ一致するように可動範囲が制限される。さらに具体的に言うと、頭部１０の中心線（線ロ）と脚部上部２１の中心線（線ニ）のなす角度が好ましくは３０〜９０度の範囲で可動する。もっとも、可動範囲は例示的であり、この範囲は頭部１０が畳まれた状態において、頭頂部１１が前立腺を都合良く刺激できるように、頭部１０の長さや頭頂部１１の傾き等に応じて適宜決められる。以上のように、本発明の前立腺マッサージ具１の頭部１０は、図５に示すとおり、ほぼ直立した状態と、畳まれた状態との間で自由に動くことができる。なお、頭頂部１１が前立腺１０２を刺激するためには、頭部１０は全く自由に動くものであってはならず、ある程度の力を加えて漸く動く程度に、回動支持部１６の切り欠き幅と脚部２０の取付部２３の厚み、固定ピン１８の太さなどが調整される。
【００２１】
脚部２０は頭部１０と会陰刺激部３０を保持する。脚部２０は側面から見て略Ｃ字形状乃至略Ｕ字形状をしている。脚部２０はほぼ直線状に形成された脚部下部２２と、頭部１０を保持し、脚部下部２２から斜め上方前方にＣの字状の略円弧乃至略楕円弧を描くように形成された脚部上部２１を有する。脚部２０は断面が略円若しくは略楕円状をした丸みを帯びた柱状に形成される。脚部上部２１の先端には上記のように取付部２３が形成され、頭部１０が保持される。脚部下部２２の先端には会陰刺激部３０が当該先端から引き出し可能に取り付けられる。図６に会陰刺激部３０を引き出した状態が、図７にこの引き出し機構がそれぞれ示される。
【００２２】
脚部下部２２は、脚部下部２２の先端から脚部上部２１との接続部位に向けて、少なくとも軸棒状の引き出し部材３３を収納できる長さ分だけ中空状に形成されている。中空状となった収納部２４の断面は、引き出し部材３３の断面とほぼ一致する大きさに形成され、引き出し部材３３を挿通させることができる。引き出し部材３３の一方端部には会陰刺激部３０が備えられる。引き出し部材３３の他端近傍の側面には縦溝３４が数カ所引き出し方向に配置されている。一方、収納部２４の側面には当該縦溝３４に係止される突起２５が形成されている。この縦溝３４とこの突起２５によって引き出し部材３３の引き出し長を一時的に保つことができる。そして、前記突起２５に係止させる縦溝３４の位置を変化させると、引き出し部材３３の引き出し長さが変化し、会陰刺激部３０の位置、つまり、会陰刺激部３０と回動支持部１６間の距離が調整される。
【００２３】
会陰刺激部３０は図２に示すように上端が丸みを有する略半球状ないし略半楕円球状に形成されている。その上端位置は脚部下部２２の上端位置よりも高い。また、会陰刺激部３０は、図９に示すように、その上端中央に断面略Ｕ字形状の溝部３１を有する略断面Ｍ字形状に形成されており、溝部３１の両側に会陰１０４に圧力を加える押圧部３２を有している。この結果、図９に示すように、会陰１０４が溝部３１に嵌り、会陰刺激部３０は会陰１０４をその両側から刺激する。また、溝部３１は脚部２０の底面に対して前方が上むいた傾斜を有する。このために、溝３１の全体が会陰１０４を保持し、押圧部３２を含む広い範囲で会陰を刺激できるようになっている。もっともこの傾斜はなくても差し支えない。
【００２４】
前立腺マッサージ具１は頭部１０が倒立可動になっているので、使用時には図１０に示すような動きを示す。まず、使用者は会陰刺激部３０の引き出し位置を調整した後、同図（ａ）に示すように、会陰刺激部３０を会陰１０４にあてがい、頭部１０を頭頂部１１から直腸１０１内に挿入する。このとき、肛門括約筋は比較的緩んだ状態にあり、頭部１０はほぼ畳まれた状態にある。そしてさらに頭部１０を直腸１０１内に挿入すると頭部１０が起き上がり、頭頂部１１が前立腺１０２に圧力を加えるようになる（同図（ｂ））。そして頭部１０が直腸１０１内に奥深く侵入すると、頭部１０の基部１３が肛門括約筋の付近に位置する。この状態において、肛門括約筋が緊張すればテーパ面１２があるために頭部１０がさらに奥深く挿入しようとする結果、さらに前立腺１０２を強く刺激する。また、頭部１０が直腸１０１内に挿入するにつれ頭部１０と脚部２０のなす角度が変化する結果、前立腺１０２を刺激する位置と会陰刺激部３０の間の距離が変化し、会陰刺激部３０の押圧部３２が会陰１０４を刺激した状態で、かつ良好な位置にて頭頂部１１が前立腺１０２を刺激するようになる（同図（ｃ））。また、この状態では、直腸１０１内には頭部１０の基部１２のみが侵入し、頭部１０の回動支持部１６は脚部２０の取付部２３があるために頭部１０がさらに奥深く侵入することが防止される。なお、図１０中の１０３は膀胱を示す。
【００２５】
このように、本発明の前立腺マッサージ具１は、直腸１０１内に挿入される頭部１０が脚部上部２１の先端にて倒立可動に備えられているので、頭部１０が直腸１０１内に侵入するにつれて、直腸１０１内に挿入された頭部１０の姿勢が変化し、頭頂部１１が前立腺１０２を刺激しやすい角度に調整される。また、会陰刺激部３０が脚部下部２２の先端に引き出し可能に備えられているので、会陰刺激部３０と頭部１０の基部１３との距離を使用者に適した位置に調整しておくことにより、頭部１０の侵入角度によっても位置ずれを起こすことなく会陰１０４及び前立腺１０２を刺激する。このために、本発明の前立腺マッサージ具１では、特許文献１や特許文献６に開示されたマッサージ具１とは異なり、頭部１０の下部に末広がりに延びて下開きとなった袴部を有していないにも関わらず、前立腺１０２や会陰１０４に良好な刺激を加えることができる。そして、会陰刺激部３０は略Ｍ字形状の断面を有しているので、その上部に形成された２つの押圧部３２が会陰１０４を挟む結果、より安定にマッサージ具１が保持される。
【００２６】
特に背面側に凸となる曲線部１４と、頭頂部１１から頭部長の約１／４〜１／３程度下方近傍において頭部１０前面が背面側に窪んだ絞り部１５とを備え、ほぼ頭部１０が直立した状態で頭頂部１１の中心線（線イ）が脚部２０底面に対する垂直線（線ロ）よりも前方に傾斜した頭部１０を備えることにより、頭部１０の頭頂部１１がより好適に前立腺１０２を刺激する。
【実施例２】
【００２７】
実施例１では、背面側に凸となる曲線部１４を有し、頭頂部１１の中心線（線イ）が前方に傾斜した頭部１０を有する前立腺マッサージ具１について説明したが、本発明においては必ずしもこのような頭頂部１１の中心線（線イ）が前方に傾斜した頭部１０でなくてもよく、例えば図１１に示すような頭部１０を用いることもできる。この頭部１０は上端が丸みを帯びる頭頂部１１と頭頂部１１の下端から下端に向かって先細りのテーパ面１２を持つ基部１３とを有し、全体がほぼ楕円球状をしている。この頭部１０は頭頂部１１の中心線（図示せず）と脚部２０底面に対する垂直線（図示せず）が平行になっている。
【００２８】
この前立腺マッサージ具１においても、直腸１０１内に挿入された頭部１０と脚部１０がなす角度が変化し、頭部１０が前立腺１０２を刺激しやすい角度に調整される。また、会陰刺激部３０が脚部下部２２の先端に引き出し可能に備えられているので、会陰刺激部３０と頭部１０の基部１３との距離を使用者に適した位置に調整しておくことにより、頭部１０の侵入角度によっても位置ずれを起こすことなく前立腺１０２を刺激できる。そして、会陰刺激部３０は略Ｍ字形状の断面を有しているので、会陰１０４を挟むことになり、さらに安定にマッサージ具１が保持される。
【００２９】
上記の各実施例はあくまでも例示であり、本発明は上記実施例に限定されないのは言うまでもない。本発明は上記のとおり、頭部１０を倒立可動に脚部２０の上端に備えると共に脚部２０の下部先端に断面略Ｍ字形状を有する会陰刺激部３０を引き出し可能に備えることによって、前立腺１０３及び会陰１０４に適切な刺激を与えるようにしたものであって、頭部１０の形状や大きさ、脚部２０の形状や大きさ、会陰刺激部３０の大きさ、形状等は適宜変更することができる。
【符号の説明】
【００３０】
１０  頭部
１１  頭頂部
１２  テーパ面
１３  基部
１４  曲線部
１５  絞り部
１６  回動支持部
１７  二股部
２０  脚部
２１  脚部上部
２２  脚部下部
２３  取付部
２４  収納部
２５  突起
３０  会陰刺激部
３２  押圧部
３３  引き出し部材
３４  縦溝
１０１  直腸
１０２  前立腺
１０４  会陰
【図１】
2010162269.tif 000003
【図２】
2010162269.tif 000004
【図３】
2010162269.tif 000005
【図４】
2010162269.tif 000006
【図５】
2010162269.tif 000007
【図６】
2010162269.tif 000008
【図７】
2010162269.tif 000009
【図８】
2010162269.tif 000010
【図９】
2010162269.tif 000011
【図１０】
2010162269.tif 000012
【図１１】
2010162269.tif 000013